(57)【要約】【課題】伝導ノイズが十分に除去されないことに起因して通話品質が低下するのを抑制することが可能な電話装置を提供する。【解決手段】この電話装置１００は、電話通信による音声信号が送受信される一対の信号線１４ａおよび１４ｂと、一対の信号線１４ａおよび１４ｂに接続されるコモンモードフィルタ３と、一対の信号線１４ａおよび１４ｂを介して伝達される信号を整流するための整流回路部５と、整流回路部５に接続されるとともに接地されたインピーダンス素子１３とを備え、インピーダンス素子１３は、音声信号が流入しにくい一方、伝導ノイズが流入しやすいインピーダンス特性を有するように構成されている。【選択図】図１
2013012929.tif 000002
【特許請求の範囲】
【請求項１】
電話通信による音声信号が送受信される一対の信号線と、
前記一対の信号線に接続されるコモンモードフィルタと、
前記一対の信号線を介して伝達される信号を整流するための整流回路部と、
前記整流回路部に接続されるとともに接地されたインピーダンス素子とを備え、
前記インピーダンス素子は、前記音声信号が流入しにくい一方、伝導ノイズが流入しやすいインピーダンス特性を有するように構成されている、電話装置。
【請求項２】
前記インピーダンス素子は、前記音声信号が属する周波数帯域において相対的に大きいインピーダンスを有する一方、前記伝導ノイズが属する伝導ノイズ周波数帯域において相対的に小さいインピーダンスを有するように構成されている、請求項１に記載の電話装置。
【請求項３】
前記整流回路部を含む１次側回路部と、
前記整流回路部を含まない２次側回路部とをさらに備え、
前記インピーダンス素子は、前記２次側回路部のグランドに接続されることにより接地されている、請求項１または２に記載の電話装置。
【請求項４】
前記コモンモードフィルタは、コモンモードチョークコイルからなり、
前記インピーダンス素子は、高耐圧コンデンサからなる、請求項１〜３のいずれか１項に記載の電話装置。
【請求項５】
前記インピーダンス素子は、１つの前記高耐圧コンデンサからなる、請求項４に記載の電話装置。
【請求項６】
前記１つの高耐圧コンデンサは、前記音声信号が属する周波数帯域において相対的に大きいインピーダンスを有する一方、前記音声信号が属する周波数帯域よりも高い伝導ノイズ周波数帯域において相対的に小さいインピーダンスを有するような静電容量に設定されている、請求項５に記載の電話装置。
【請求項７】
前記音声信号が属する周波数帯域は、３００Ｈｚ以上３．４ｋＨｚ以下であり、
前記伝導ノイズ周波数帯域は、０．１５ＭＨｚ以上８０ＭＨｚ以下である、請求項６に記載の電話装置。
【請求項８】
外部電源に接続されるとともに接地された電源供給部をさらに備え、
前記インピーダンス素子は、前記電源供給部を介して前記外部電源に接続されている、請求項１〜７のいずれか１項に記載の電話装置。
【請求項９】
前記インピーダンス素子は、前記整流回路部の負側に接続されている、請求項１〜８のいずれか１項に記載の電話装置。
【発明の詳細な説明】
【技術分野】
【０００１】
この発明は、電話装置に関し、特に、電話通信による音声信号が送受信される一対の信号線を備える電話装置に関する。
【背景技術】
【０００２】
従来、電話通信による音声信号が送受信される一対の信号線を備える電話装置が知られている（たとえば、特許文献１参照）。
【０００３】
上記特許文献１には、電話通信による音声信号が送受信される一対の線路（信号線）を備える電話機（電話装置）に接続されるＤＳＬ用スプリッタが開示されている。このＤＳＬ用スプリッタには、一対の線路に流入したコモンモードノイズ（伝導ノイズ）を低減するためのコモンモードチョークコイル（コモンモードフィルタ）が設けられている。
【先行技術文献】
【特許文献】
【０００４】
【特許文献１】特許第４３０９３７６号公報
【発明の概要】
【発明が解決しようとする課題】
【０００５】
しかしながら、上記特許文献１に開示されたＤＳＬ用スプリッタでは、コモンモードチョークコイル（コモンモードフィルタ）が設けられている一方、コモンモードチョークコイルでは、一対の線路（信号線）に流入したコモンモードノイズ（伝導ノイズ）を十分に除去できない場合がある。この場合、ＤＳＬ用スプリッタにより除去されなかったコモンモードノイズ（伝導ノイズ）は、音声信号と共に一対の線路を介して電話機（電話装置）に流入し、電話機の通話品質が低下するという問題点がある。
【０００６】
この発明は、上記のような課題を解決するためになされたものであり、この発明の１つの目的は、伝導ノイズが十分に除去されないことに起因して通話品質が低下するのを抑制することが可能な電話装置を提供することである。
【課題を解決するための手段および発明の効果】
【０００７】
この発明の一の局面による電話装置は、電話通信による音声信号が送受信される一対の信号線と、一対の信号線に接続されるコモンモードフィルタと、一対の信号線を介して伝達される信号を整流するための整流回路部と、整流回路部に接続されるとともに接地されたインピーダンス素子とを備え、インピーダンス素子は、音声信号が流入しにくい一方、伝導ノイズが流入しやすいインピーダンス特性を有するように構成されている。
【０００８】
この発明の一の局面による電話装置では、上記のように、コモンモードフィルタと、接地されたインピーダンス素子とを設けることによって、コモンモードフィルタに加えて、接地されたインピーダンス素子によっても、一対の信号線に流入した伝導ノイズ（コモンモードノイズ）を十分に除去することができる。また、インピーダンス素子を、音声信号が流入しにくい一方、伝導ノイズが流入しやすいインピーダンス特性を有するように構成することによって、インピーダンス素子により、一対の信号線に流入した音声信号および伝導ノイズのうちの伝導ノイズのみを除去することができる。これらの結果、伝導ノイズが十分に除去されないことに起因して通話品質が低下するのを抑制することができる。
【０００９】
上記一の局面による電話装置において、好ましくは、インピーダンス素子は、音声信号が属する周波数帯域において相対的に大きいインピーダンスを有する一方、伝導ノイズが属する伝導ノイズ周波数帯域において相対的に小さいインピーダンスを有するように構成されている。このように構成すれば、インピーダンス素子により、容易に、一対の信号線に流入した音声信号および伝導ノイズのうちの伝導ノイズのみを除去することができる。
【００１０】
上記一の局面による電話装置において、好ましくは、整流回路部を含む１次側回路部と、整流回路部を含まない２次側回路部とをさらに備え、インピーダンス素子は、２次側回路部のグランドに接続されることにより接地されている。このように構成すれば、２次側回路部のグランドを介して、容易に、一対の信号線に流入した伝導ノイズを除去することができる。
【００１１】
上記一の局面による電話装置において、好ましくは、コモンモードフィルタは、コモンモードチョークコイルからなり、インピーダンス素子は、高耐圧コンデンサからなる。このように構成すれば、コモンモードチョークコイルと、高耐圧コンデンサとを用いて、容易に、一対の信号線に流入した伝導ノイズを十分に除去することができる。
【００１２】
この場合、好ましくは、インピーダンス素子は、１つの高耐圧コンデンサからなる。このように構成すれば、インピーダンス素子（高耐圧コンデンサ）を複数設ける場合と異なり、簡易な構成で、一対の信号線に流入した音声信号および伝導ノイズのうちの伝導ノイズのみを除去することができる。また、インピーダンス素子の省スペース化および低コスト化を図ることができる。
【００１３】
上記インピーダンス素子が１つの高耐圧コンデンサからなる電話装置において、好ましくは、１つの高耐圧コンデンサは、音声信号が属する周波数帯域において相対的に大きいインピーダンスを有する一方、音声信号が属する周波数帯域よりも高い伝導ノイズ周波数帯域において相対的に小さいインピーダンスを有するような静電容量に設定されている。このように高耐圧コンデンサの静電容量を設定すれば、音声信号が属する周波数帯域よりも高い伝導ノイズ周波数帯域に属する伝導ノイズを適切に除去することができる。
【００１４】
この場合、好ましくは、音声信号が属する周波数帯域は、３００Ｈｚ以上３．４ｋＨｚ以下であり、伝導ノイズ周波数帯域は、０．１５ＭＨｚ以上８０ＭＨｚ以下である。このように構成すれば、０．１５ＭＨｚ以上８０ＭＨｚ以下の伝導ノイズ周波数帯域に属する伝導ノイズを適切に除去することができる。
【００１５】
上記一の局面による電話装置において、好ましくは、外部電源に接続されるとともに接地された電源供給部をさらに備え、インピーダンス素子は、電源供給部を介して外部電源に接続されている。このように構成すれば、一対の信号線に流入した伝導ノイズを電源供給部を介して外部電源側に流出させることができるので、伝導ノイズを容易に除去することができる。
【００１６】
上記一の局面による電話装置において、好ましくは、インピーダンス素子は、整流回路部の負側に接続されている。このように構成すれば、整流回路部の負側を介して、容易に、一対の信号線に流入した伝導ノイズを除去することができる。
【図面の簡単な説明】
【００１７】
【図１】本発明の一実施形態による電話装置の全体構成を示したブロック図である。
【図２】本発明の一実施形態の変形例による電話装置の全体構成を示したブロック図である。
【発明を実施するための形態】
【００１８】
以下、本発明の実施形態を図面に基づいて説明する。
【００１９】
まず、図１を参照して、本発明の一実施形態による電話装置１００の構成について説明する。
【００２０】
本発明の一実施形態による電話装置１００は、図１に示すように、コネクタ部１および２と、コモンモードフィルタ３および４と、整流回路部５と、着信検出部６と、外線用Ｉ／Ｆ（インターフェース）回路部７と、内線用Ｉ／Ｆ回路部８と、音声変換部９と、制御部１０と、電源回路１１と、ＡＣアダプタ１２と、インピーダンス素子１３とを備えている。なお、ＡＣアダプタ１２は、本発明の「電源供給部」の一例である。
【００２１】
また、電話装置１００は、外線電話網２００に接続された１次側回路部１００ａと、内線電話機４００に接続された２次側回路部１００ｂとを有している。１次側回路部１００ａは、コネクタ部１と、コモンモードフィルタ３と、整流回路部５と、着信検出部６と、外線用Ｉ／Ｆ回路部７とを含むように構成されている。また、２次側回路部１００ｂは、コネクタ部２と、コモンモードフィルタ４と、外線用Ｉ／Ｆ回路部７と、内線用Ｉ／Ｆ回路部８と、音声変換部９と、制御部１０と、電源回路１１とを含むように構成されている。
【００２２】
コネクタ部１は、外線電話網２００を介して電話局３００に接続されている。このコネクタ部１には、外線電話網２００を介した電話通信による音声信号などが送受信される一対の信号線１４ａおよび１４ｂが接続されている。また、コネクタ部２は、内線電話機４００に接続されている。このコネクタ部２には、内線電話機４００を用いた電話通信による音声信号などが送受信される一対の信号線１５ａおよび１５ｂが接続されている。
【００２３】
コモンモードフィルタ３は、コネクタ部１に接続された一対の信号線１４ａおよび１４ｂに接続されている。また、コモンモードフィルタ４は、コネクタ部２に接続された一対の信号線１５ａおよび１５ｂに接続されている。これらコモンモードフィルタ３および４は、それぞれ、コモンモードチョークコイルＬ１およびＬ２により構成されている。
【００２４】
整流回路部５は、一対の信号線１４ａおよび１４ｂを介して伝達される信号を整流するために設けられている。この整流回路部５は、４つのダイオードＤ１、Ｄ２、Ｄ３およびＤ４からなるブリッジダイオードにより構成されている。
【００２５】
着信検出部６は、電話局３００により一対の信号線１４ａおよび１４ｂに印加される電圧（４８Ｖの負電圧）の極性の反転を検出することにより、外線電話網２００を介して外部から着信があったことを検出するように構成されている。
【００２６】
外線用Ｉ／Ｆ回路部７は、外線用Ｉ／Ｆ回路部７の入力側のインピーダンスと、外線用Ｉ／Ｆ回路部７の出力側のインピーダンスとのマッチング（整合）をとるために設けられている。同様に、内線用Ｉ／Ｆ回路部８は、内線用Ｉ／Ｆ回路部８の入力側のインピーダンスと、内線用Ｉ／Ｆ回路部８の出力側のインピーダンスとのマッチング（整合）をとるために設けられている。なお、外線用Ｉ／Ｆ回路部７および内線用Ｉ／Ｆ回路部８は、２次側回路部１０１ｂのグランド（ＧＮＤ）に接続されている。
【００２７】
音声変換部９は、外線用Ｉ／Ｆ回路部７に接続された外線用音声変換部９ａと、内線用Ｉ／Ｆ回路部８に接続された内線用音声変換部９ｂとを含むように構成されている。外線用音声変換部９ａは、一対の信号線１４ａおよび１４ｂを介して送受信される音声信号をアナログ方式からデジタル方式に、または、デジタル方式からアナログ方式に変換するために設けられている。同様に、内線用音声変換部９ｂは、一対の信号線１５ａおよび１５ｂを介して送受信される音声信号をアナログ方式からデジタル方式に、または、デジタル方式からアナログ方式に変換するために設けられている。なお、音声変換部９は、２次側回路部１０１ｂのグランド（ＧＮＤ）に接続されている。
【００２８】
制御部１０は、音声処理部１０ａと、電話交換部１０ｂとを含むように構成されている。音声処理部１０ａは、音声信号の伝送などを行うように構成されている。また、電話交換部１０ｂは、外線電話網２００を使用する電話通信と、内線電話機４００を使用する電話通信とを切り替えるために設けられている。なお、制御部１０は、２次側回路部１０１ｂのグランド（ＧＮＤ）に接続されている。
【００２９】
電源回路１１は、商用電源５００（交流電源）からＡＣアダプタ１２を介して入力される電源を電話装置１００の各部に供給するために設けられている。なお、商用電源５００は、本発明の「外部電源」の一例である。
【００３０】
ＡＣアダプタ１２は、商用電源５００から入力される交流電源を、電話装置１００の各部が利用可能な直流電源に変換する機能などを有している。また、ＡＣアダプタ１２は、プラス端子１２ａとマイナス端子１２ｂとを有している。なお、ＡＣアダプタ１２のマイナス端子１２ｂは、２次側回路部１０１ｂのグランド（ＧＮＤ）に接続されている。
【００３１】
ここで、本実施形態では、整流回路部５の負側には、１つのインピーダンス素子１３が接続されている。このインピーダンス素子１３は、高耐圧コンデンサＣ１により構成されている。
【００３２】
また、本実施形態では、インピーダンス素子１３は、音声信号が流入しにくい一方、伝導ノイズが流入しやすいインピーダンス特性を有するように構成されている。すなわち、本実施形態による高耐圧コンデンサＣ１は、音声信号が属する周波数帯域（３００Ｈｚ以上３．４ｋＨｚ以下）において相対的に大きいインピーダンスを有する一方、伝導ノイズが属する伝導ノイズ周波数帯域（０．１５ＭＨｚ以上８０ＭＨｚ以下）において相対的に小さいインピーダンスを有するような静電容量に設定されている。
【００３３】
ここで、一般に、インピーダンス素子１３（高耐圧コンデンサＣ１）のインピーダンス特性を上記のようにするためには、電話装置１００全体のノイズ耐性や、コモンモードフィルタ３のノイズ減衰力などを考慮して、高耐圧コンデンサＣ１の静電容量を設定する必要がある。これらの点を考慮して、本願発明者は、高耐圧コンデンサＣ１の静電容量を３３０ｐＦに設定すれば、音声信号に対する高耐圧コンデンサＣ１のインピーダンスを１００ｋΩ以上とし、かつ、７ＭＨｚ近傍の周波数帯域に属する伝導ノイズに対する高耐圧コンデンサＣ１のインピーダンスを一対の信号線１４ａおよび１４ｂのインピーダンスの約１０分の１とすることが可能であることを実験により見出した。このように高耐圧コンデンサＣ１の静電容量を適切に設定できたのは、音声信号が属する周波数帯域（３００Ｈｚ以上３．４ｋＨｚ以下）と、伝導ノイズが属する伝導ノイズ周波数帯域（０．１５ＭＨｚ以上８０ＭＨｚ以下）とが十分に離れていたためであると考えられる。
【００３４】
なお、本実施形態では、高耐圧コンデンサＣ１は、ＡＣアダプタ１２のマイナス端子１２ｂに接続されている。すなわち、高耐圧コンデンサＣ１は、ＡＣアダプタ１２を介して商用電源５００に接続されているとともに、２次側回路部１０１ｂのグランド（ＧＮＤ）に接続されている。
【００３５】
以上のような構成により、一対の信号線１４ａおよび１４ｂに流入した伝導ノイズ（コモンモードノイズ）は、まず、コモンモードチョークコイルＬ１により低減される。そして、コモンモードチョークコイルＬ１により除去されなかった残りの伝導ノイズは、高耐圧コンデンサＣ１から２次側回路部１００ｂのグランド（ＧＮＤ）に流出するとともに、ＡＣアダプタ１２を経由して商用電源５００側に流出し、除去される。
【００３６】
本実施形態では、上記のように、コモンモードフィルタ３（コモンモードチョークコイルＬ１）と、２次側回路部１０１ｂのグランド（ＧＮＤ）に接続されたインピーダンス素子１３（高耐圧コンデンサＣ１）とを設けることによって、コモンモードフィルタ３に加えて、２次側回路部１０１ｂのグランド（ＧＮＤ）に接続されたインピーダンス素子１３によっても、一対の信号線１４ａおよび１４ｂに流入した伝導ノイズ（コモンモードノイズ）を十分に除去することができる。また、インピーダンス素子１３を、音声信号が流入しにくい一方、伝導ノイズが流入しやすいインピーダンス特性を有するように構成することによって、インピーダンス素子１３により、一対の信号線１４ａおよび１４ｂに流入した音声信号および伝導ノイズのうちの伝導ノイズのみを除去することができる。これらの結果、伝導ノイズが十分に除去されないことに起因して通話品質が低下するのを抑制することができる。
【００３７】
また、本実施形態では、上記のように、音声信号が属する周波数帯域（３００Ｈｚ以上３．４ｋＨｚ以下）において相対的に大きいインピーダンスを有する一方、伝導ノイズが属する伝導ノイズ周波数帯域（０．１５ＭＨｚ以上８０ＭＨｚ以下）において相対的に小さいインピーダンスを有するようにインピーダンス素子１３を構成する。これにより、インピーダンス素子１３によって、容易に、一対の信号線１４ａおよび１４ｂに流入した音声信号および伝導ノイズのうちの伝導ノイズのみを除去することができる。
【００３８】
また、本実施形態では、上記のように、コモンモードフィルタ３をコモンモードチョークコイルＬ１により構成し、インピーダンス素子１３を高耐圧コンデンサＣ１により構成する。これにより、コモンモードチョークコイルＬ１と、高耐圧コンデンサＣ１とを用いて、容易に、一対の信号線１４ａおよび１４ｂに流入した伝導ノイズを十分に除去することができる。
【００３９】
また、本実施形態では、上記のように、インピーダンス素子１３（高耐圧コンデンサＣ１）の個数を１つとする。これにより、インピーダンス素子１３（高耐圧コンデンサＣ１）を複数設ける場合と異なり、簡易な構成で、一対の信号線１４ａおよび１４ｂに流入した伝導ノイズを十分に除去することができる。また、インピーダンス素子１３の省スペース化および低コスト化を図ることができる。
【００４０】
また、本実施形態では、上記のように、音声信号が属する周波数帯域（３００Ｈｚ以上３．４ｋＨｚ以下）において相対的に大きいインピーダンスを有する一方、音声信号が属する周波数帯域よりも高い伝導ノイズ周波数帯域（０．１５ＭＨｚ以上８０ＭＨｚ以下）において相対的に小さいインピーダンスを有するように、高耐圧コンデンサＣ１の静電容量を設定する。このように高耐圧コンデンサＣ１の静電容量を設定すれば、０．１５ＭＨｚ以上８０ＭＨｚ以下の伝導ノイズ周波数帯域に属する伝導ノイズを適切に除去することができる。
【００４１】
また、本実施形態では、上記のように、商用電源５００に接続されるとともに２次側回路部１０１ｂのグランド（ＧＮＤ）に接続されたＡＣアダプタ１２を設け、インピーダンス素子１３をＡＣアダプタ１２を介して商用電源５００に接続する。これにより、一対の信号線１４ａおよび１４ｂに流入した伝導ノイズをＡＣアダプタ１２を介して商用電源５００側に流出させることができるので、伝導ノイズを容易に除去することができる。
【００４２】
また、本実施形態では、上記のように、インピーダンス素子１３を整流回路部５の負側に接続する。これにより、整流回路部５の負側を介して、容易に、一対の信号線１４ａおよび１４ｂに流入した伝導ノイズを除去することができる。
【００４３】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４４】
たとえば、上記実施形態では、高耐圧コンデンサからなるインピーダンス素子を用いる例を示したが、本発明はこれに限らない。本発明では、高耐圧コンデンサ以外のインピーダンス素子（たとえば、インダクタ、コンデンサおよび抵抗など）を用いてもよい。
【００４５】
また、本実施形態では、高耐圧コンデンサからなるインピーダンス素子の個数を１つとする構成を示したが、本発明はこれに限らない。本発明では、高耐圧コンデンサからなるインピーダンス素子を複数設けてもよい。たとえば、図２に示す変形例のように、高耐圧コンデンサＣ２からなるインピーダンス素子１３ａと、高耐圧コンデンサＣ３からなるインピーダンス素子１３ｂとの２つのインピーダンス素子を設けてもよい。この図２に示す変形例による電話装置１０１は、外線電話網２００に接続された１次側回路部１０１ａと、内線電話機４００に接続された２次側回路部１０１ｂとを有している。
【００４６】
この変形例では、図２に示すように、高耐圧コンデンサＣ２からなるインピーダンス素子１３ａと、高耐圧コンデンサＣ３からなるインピーダンス素子１３ｂとが、整流回路部５の負側において電気的に並列に接続されている。なお、この変形例では、高耐圧コンデンサＣ２およびＣ３の静電容量を互いに異ならせて設定するのが好ましい。これにより、高耐圧コンデンサＣ２およびＣ３により、互いに異なる周波数帯域に属する伝導ノイズを除去することが可能になる。すなわち、より広い周波数帯域に属する伝導ノイズを除去することが可能になる。
【符号の説明】
【００４７】
３  コモンモードフィルタ
５  整流回路部
１２  ＡＣアダプタ（電源供給部）
１３、１３ａ、１３ｂ  インピーダンス素子
１４ａ、１４ｂ  信号線
１００、１０１  電話装置
１００ａ、１０１ａ  １次側回路部
１００ｂ、１０１ｂ  ２次側回路部
５００  商用電源（外部電源）
【図１】
2013012929.tif 000003
【図２】
2013012929.tif 000004